(57)【特許請求の範囲】
【請求項１】
所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、
操作方法の表示面が消火器上方から視認可能となるように、操作方法表示ラベルを前記消火剤容器の上部に設けたものであり、
前記操作方法表示ラベルは、前記消火剤容器の肩部の形状に合った切頭半球状をなすように形成され、前記消火器の肩部に設けられていることを特徴とする消火器。
【請求項２】
所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、
操作方法の表示面が消火器上方から視認可能となるように、操作方法表示ラベルを前記消火剤容器の上部に設けたものであり、
前記操作方法表示ラベルは、操作手順毎に分割して作製され、前記消火剤容器の肩部に設けられていることを特徴とする消火器。
【請求項３】
所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、
操作方法の表示面が消火器上方から視認可能となるように、操作方法表示ラベルを前記消火剤容器の上部に設けたものであり、
前記操作方法表示ラベルは、前記操作方法の表示面が上向きになるように、前記消火剤容器の肩部に設けられており、前記操作方法の手順が上方から見て時計回りに記載されていることを特徴とする消火器。
【請求項４】
前記操作方法表示ラベルは、着脱自在に設けられるものであることを特徴とする請求項１乃至３の何れか記載の消火器。
【発明の詳細な説明】
【技術分野】
【０００１】
この発明は、火災の初期消火のために用いられる消火器に関する。
【背景技術】
【０００２】
従来、火災の消火のための装置として消火器が用いられている。通常、消火器の操作方法は消火剤が貯蔵された容器の側面に貼り付けられたラベルに示されており、消火器に近づくことでその操作方法を確認することができるようになっている（例えば、特許文献１参照）。
【先行技術文献】
【特許文献】
【０００３】
【特許文献１】実開昭６１−９６９４６号公報
【発明の概要】
【発明が解決しようとする課題】
【０００４】
消火器は床面に設置されていることが多く、火災時に消火器を利用して消火をする際には、利用者は消火器を上方から見て操作することが多い。しかしながら、従来の消火器の場合、操作方法が示されたラベルが容器の側面に貼り付けられているので、操作方法を確認するのに消火器を側方から一度見なければならないため、操作方法を確認しながら直ちに操作することができず、消火作業が遅れるという問題があった。
【０００５】
この発明は、前記の事情に鑑み、操作方法を確認しながら操作することができる消火器を提供することを目的とする。
【課題を解決するための手段】
【０００６】
この発明は、所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、操作方法の表示面が消火器上方から視認可能となるように、操作方法表示ラベルを前記消火剤容器の上部に設けたものであり、前記操作方法表示ラベルは、前記消火剤容器の肩部の形状に合った切頭半球状をなすように形成され、前記消火器の肩部に設けられていることを特徴とする消火器である。
【０００７】
又、この発明は、所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、操作方法の表示面が消火器上方から視認可能となるように、操作方法表示ラベルを前記消火剤容器の上部に設けたものであり、前記操作方法表示ラベルは、操作手順毎に分割して作製され、前記消火剤容器の肩部に設けられていることを特徴とする消火器である。
【０００８】
又、この発明は、所定の消火剤が貯蔵された消火剤容器と、前記消火剤容器とホースを介して接続され、前記消火剤を放出する放出口と、前記消火剤容器から前記放出口に前記消火剤の供給を開始させる操作部とを有し、前記操作部による供給開始の操作が行われることで、前記放出口から前記消火剤が放出されるように構成された消火器において、操作方法の表示面が消火器上方から視認可能となるように、操作方法表示ラベルを前記消火剤容器の上部に設けたものであり、前記操作方法表示ラベルは、前記操作方法の表示面が上向きになるように、前記消火剤容器の肩部に設けられており、前記操作方法の手順が上方から見て時計回りに記載されていることを特徴とする消火器である。
【０００９】
又、この発明は、前記操作方法表示ラベルは、着脱自在に設けられるものであることを特徴とする消火器である。
【発明の効果】
【００１１】
この発明によれば、操作方法の表示面が消火器上方から視認することができるので、利用者は操作方法を確認しながら消火器を操作をすることができる。
【００１２】
即ち、この発明によれば、操作方法を確認しながら操作することができる消火器を提供することができる。
【図面の簡単な説明】
【００１３】
【図１】この発明の一実施形態に係る消火器全体の側面図である。
【図２】同上の消火器の拡大平面図である。
【図３】同上の消火器に設けられる着脱自在の操作方法表示ラベルの一例を示し、（ａ）がその表示部の詳細を示した斜視図で、（ｂ）がその接合部の詳細を示した斜視図である。
【図４】同上の着脱自在の操作方法表示ラベルの他の例を示した平面図である。
【発明を実施するための形態】
【００１４】
この発明の実施形態を図１乃至図４に基き説明する。
【００１５】
消火器１は、図１に示したように、所定の消火剤が貯蔵された消火剤容器２と、消火剤容器１とホース３を介して接続され、消火剤を放出する放出口４と、消火剤容器２の上部に設けられ、消火剤容器２から放出口４に消火剤の供給を開始させる操作部の一例としての操作レバー５とを有しており、操作レバー５が開操作されることで、消火剤が消火剤容器２から放出口４に供給されて、放出口４から放出されるようになっている。尚、操作レバー５には不用意に開操作されるのを防止するための安全ピン５ａが設けられている。
【００１６】
そして、消火器１は、図１及び図２に示したように、その操作方法が示された表示面６ａが上方から視認可能となるように、操作方法表示ラベル６が消火剤容器２の上部（操作レバー５の外周側）に設けられており、具体的には、表示面６ａが上向きになるように、消火剤容器２の肩部２ａに設けられている（図示の便宜上、図１では操作方法表示ラベル６を塗りつぶして表してある）。尚、ここで言う上向きとは、利用者が操作レバー５を操作する際の視線方向（図１及び２の矢視Ａ線方向）に対して表示面６ａに記載された文字が上向きであることを意味している。
【００１７】
より詳しく述べると、操作方法表示ラベル６の表示面６ａを上方から見ると、操作レバー５を中心として左右に、イラストと文書が記載されている。操作方法は上方から見て時計回りに手順が記載され、各操作方法の大きさは、適宜設定される。
【００１８】
従って、消火器１によれば、操作方法表示ラベル６が前記の配置で設けられていることで、広い面積にイラストを記載でき、利用者は上方から操作方法表示ラベル６の表示面６ａに示されている操作方法のイラストと文字を一度に視認することができ、操作方法を確認しながら機器の操作をすることができる。
【００１９】
尚、消火器１において、操作方法表示ラベル６は貼り付けにより固定的に消火剤容器２に設けられたものとしてもよいが、着脱自在に設けられるものとしてもよく、着脱自在に設けられるものとすることで、既存の消火器にも取り付けることができる。
【００２０】
操作方法表示ラベル６を着脱自在のものとする場合、例えば、図３（ａ）に示したように、消火剤容器２の肩部２ａの形状に沿って切頭半球状をなすように形成されたカバー体７の表面７ａに操作方法表示ラベル６を貼り付けたものとすることができる。このカバー体７は、組み立て式のものとすることができ、組み立て式のものとすることで、消火剤容器２の肩部２ａとの着脱を容易にすることができる。カバー体７を組み立て式のものにする場合、例えば、図３（ｂ）に示したように、弧状の帯体の両端を接合部７ｂで接離可能な構成のものとすることができ、その接合部７ｂは帯体の両端を互い違いに重ねて係脱部材（例えばスナップボタン等）で係脱可能な構成のものとすることができる。このカバー体７には、図３（ｃ）に示したように、裏面７ｃの適宜の位置にマグネット７ｄ（例えば３箇所）を設けるようにすることができ、そのようにすることで、消火剤容器２と着脱自在でありながら、その位置がずれないにすることができる。
【００２１】
更に、操作方法表示ラベル６を着脱自在のものとする場合、例えば、図４に示したように、マグネットシート８に操作方法表示ラベル６を貼り付けたものとすることができ（マグネットシート８に操作方法を直接印刷したものとしてもよい）、マグネットシート８から操作方法表示ラベル６を含む部分を切り取って、消火剤容器２の肩部２ａに貼り付けるものとすることができる。このようにすることで、消火剤容器２の肩部２ａの大きさや形状に合うように適宜調整した大きさや形状で操作方法表示ラベル６を含む部分を切り取って、消火剤容器２の肩部２ａに貼り付けることができる。
【００２２】
尚、消火器１において、操作方法表示ラベル６は操作手順ごとに分割して作製されたものとしてもよい。このようにすることで、例えば、忘れがちな手順（ホースを構える等の手順）を示したものだけを消火剤容器２の肩部２ａに貼り付けて、その手順に対し特に注意を喚起させるようにすることができる。又、操作方法表示面６ａが消火器１の操作レバー５等の上部構造に隠れないようにしつつ、操作手順毎に適宜の配置で消火剤容器２の肩部２ａに貼り付けることができる（図２参照）。
【００２３】
以上、この発明の実施形態について説明したが、この発明は上記の実施形態に限定されるものではなく、この発明の技術的思想に基いた適宜の変更が可能である。例えば、操作レバー５に放出口４が設けられた消火器１に用いても良く、この場合、操作方法表示ラベル６の操作方法を二分割にしても良い。又、ホース保持の手順を省略し、操作前の消火器の持ち方等としても良い。更に必要に応じて、利用者が要望すると思われる各種表記を複数組み合わせることもできる様にしても良い。
【符号の説明】
【００２４】
１：消火器  ２：消火剤容器  ２ａ：肩部  ３：ホース  ４：放出口
５：操作レバー  ５ａ：安全ピン  ６：操作方法表示ラベル  ６ａ：表示面
７：カバー体  ７ａ：表面  ７ｂ：接合部  ７ｃ：裏面  ７ｄ：マグネット
８：マグネットシート
【図１】
0005901385.tif 000002
【図２】
0005901385.tif 000003
【図３】
0005901385.tif 000004
【図４】
0005901385.tif 000005